(57)【要約】  【課題】簡易な装置で出荷に際して野菜を揃えて受け皿に載置する工程と野菜を包装する工程とを分業して効率よく野菜を包装できる。  【解決手段】回転台１の周縁部上面に間隔をもって複数の野菜受け皿体４を支持軸を中心として回転可能に設ける。野菜受け皿体４は、上下方向に回動可能に取り付けた受け皿８と受け皿８を略水平状態に保持するスプリング11とを設ける。受け皿８の底板部６の先端部には、包装袋の開口部を閉塞するための切り欠き部15を形成する。受け皿８と底板部６に載置した野菜17とを先端側から嵌合した包装袋にて覆い、受け皿８の先端側をスプリング11の付勢力に抗して下側に向けて回動して、包装袋を受け皿８の先端側から引き抜きながらこの包装袋に野菜17を収納する。受け皿８の底板部６に形成した切り欠き部15にて包装袋の開口部を閉じながら包装袋を受け皿８から引き外す。  【選択図】図１
2006103789.tif 000002
【特許請求の範囲】
【請求項１】
回転台と、
この回転台の周縁部上面に間隔をもって前記回転台の上面に対して垂直方向の支持軸を中心として回転可能に設けた複数の野菜受け皿体と
を具備し、
前記野菜受け皿体は、底板部とこの底板部の両側にそれぞれ形成された側面部とを有し、かつ上下方向に回動可能に取り付けられた受け皿と、この受け皿を略水平状態に保持するスプリングとを設け、
前記受け皿の底板部の先端部には、包装袋の開口部を閉塞するための切り欠き部を形成し、
前記受け皿とこの受け皿の底板部に載置された野菜とをこの受け皿の先端側から嵌合した包装袋にて覆い、この受け皿の先端側を前記スプリングの付勢力に抗して下側に向けて回動して、前記包装袋を受け皿の先端側から引き抜きながらこの包装袋に野菜を収納し、この受け皿の底板部に形成した切り欠き部にて包装袋の開口部を閉じながら野菜を収納した包装袋を前記受け皿から引き外すことを特徴とする野菜包装機。
【請求項２】
野菜受け皿体は、回転台の上面に上方に向けて突設した支持軸に着脱自在に嵌合する回転軸部を設けたことを特徴とする請求項１記載の野菜包装機。
【発明の詳細な説明】
【技術分野】
【０００１】
本発明は、水菜などの野菜を出荷に際して包装袋に収納して包装する野菜包装機に関する。
【背景技術】
【０００２】
従来のこの種の野菜包装機は、支柱の上端部に上下方向に回動可能に受け皿体を取り付け、この受け皿の底板部に野菜を揃えて載置し、この受け皿に野菜とともに包装袋を嵌合し、この状態で脚踏みペダルの操作で、受け皿を先端側が下向きとなるように回動させ、この受け皿の回動で、野菜は受け皿の底板部を滑り落下するとともに包装袋も野菜を収納した状態で受け皿の先端部から外れ、この状態で包装袋を手前側に引き寄せ、包装袋の開口部を閉塞するようにした構造が採られていた（例えば、特許文献１参照。）。
【特許文献１】［実願平５−５５２４７号（実開平７−４３８５５号）明細書第９頁、図１、図６〜図９］
【発明の開示】
【発明が解決しようとする課題】
【０００３】
解決しようとする問題点は、水菜などの野菜をそれぞれ向きを揃えて受け皿に載置してから、この揃えて載置された野菜を包装袋に包装する作業を行うため、野菜を包装する工程に比べて手数の掛かる野菜を揃えて受け皿に載置する工程とを包装作業者が1人で行わなくてはならず、作業効率が低いことである。
【０００４】
本発明は、上記問題点に鑑みなされたもので、簡易な装置で出荷に際して野菜を揃えて受け皿に載置する工程と野菜を包装する工程とを分業して効率よく野菜を包装できる野菜包装機を提供するものである。
【課題を解決するための手段】
【０００５】
本発明の野菜包装機は、回転台と、この回転台の周縁部上面に間隔をもって前記回転台の上面に対して垂直方向の支持軸を中心として回転可能に設けた複数の野菜受け皿体とを具備し、前記野菜受け皿体は、底板部とこの底板部の両側にそれぞれ形成された側面部とを有し、かつ上下方向に回動可能に取り付けられた受け皿と、この受け皿を略水平状態に保持するスプリングとを設け、前記受け皿の底板部の先端部には、包装袋の開口部を閉塞するための切り欠き部を形成し、前記受け皿とこの受け皿の底板部に載置された野菜とをこの受け皿の先端側から嵌合した包装袋にて覆い、この受け皿の先端側を前記スプリングの付勢力に抗して下側に向けて回動して、前記包装袋を受け皿の先端側から引き抜きながらこの包装袋に野菜を収納し、この受け皿の底板部に形成した切り欠き部にて包装袋の開口部を閉じながら野菜を収納した包装袋を前記受け皿から引き外すものである。
【０００６】
そして、回転している回転台に取り付けた野菜受け皿体が所定の個所に位置したとき、1人の作業者がスプリングの付勢力で略水平に保持されている受け皿の底板部上に水菜などの野菜を向きを揃えて載置する。このとき、回転台は回転されていても、野菜受け皿体は回転台に垂直方向の支持軸を中心として回転可能となっているので、野菜受け皿体が作業者の作業位置を移動するタイミングと野菜を揃えてこの野菜を野菜受け皿体に載置するタイミングとがずれたときには、野菜受け皿体の受け皿の向きを作業者に向けて野菜を確実に受け皿に載置できる。
【０００７】
回転台が回転して野菜を載置した受け皿が包装作業を行う作業者の位置に至ったときに、この受け皿とこの受け皿の底板部に載置された野菜とをこの受け皿の先端側から嵌合した包装袋にて覆い、この受け皿の先端側を下側に向けてスプリングの付勢力に抗して回動すると、野菜は受け皿の底板部を滑り、包装袋の底側に移動され、この包装袋を受け皿の先端側から引き抜きながらこの包装袋に野菜を収納し、この受け皿の底板部に形成した切り欠き部にて包装袋の開口部を前側と後側から押え付けて包装袋を閉じながら野菜を収納した包装袋を受け皿から引き外し、包装袋の開口部を閉塞することができる。
【０００８】
また、包装する野菜の種類などによって使用しない野菜受け皿体は、回転台の周縁から受け皿が突出して邪魔にならないように、受け皿が回転台の中心方向に向くように回動させる。
【０００９】
また、野菜受け皿体は、回転台の上面に上方に向けて突設した支持軸に着脱自在に嵌合する回転軸部を設けたものである。
【００１０】
そして、包装する野菜の種類などによって使用しない野菜受け皿体を回転台から取り外し、回転台の周縁から受け皿が突出して邪魔にならないようにして安全性を高めることができる。
【発明の効果】
【００１１】
本発明の野菜包装機は、野菜栽培者が容易に設置できる簡易な装置にて、野菜を揃えて受け皿に載置する工程と野菜を包装する工程とを分業して水菜などの野菜を効率よく包装でき、野菜栽培者が出荷に際して野菜を包装する装置として安価に得られる。
【発明を実施するための最良の形態】
【００１２】
本発明の野菜包装機の一実施の形態を図面に基づいて説明する。
【００１３】
図１において、ステンレス板などにて円形状に形成した回転台１は、中心部がインバータなどにより回転速度を調整可能とした図示しない電動機により回転する垂直方向の回転軸２に取り付けられている。この回転台１の周縁部上面には一定間隔をもって前記回転台１の上面に対して垂直方向の支持軸３(図５に図示)が設けられ、この各支持軸３には野菜受け皿体４の断面四角形の中空状回転軸部５がそれぞれ着脱自在に嵌合され、この各回転軸部５は各支持軸３にそれぞれ回転可能に支持されている。
【００１４】
前記各野菜受け皿体４は、細長底板部６とこの底板部６の両側にそれぞれ形成された側面部７，７を形成した受け皿８を有し、図５に示すようにこの受け皿８の下面後側に固着した軸支片９が前記回転軸部５の上部に軸10にて上下方向に回動可能に軸支されている。また、この受け皿８の後端部と前記回転軸部５の下端部との間にコイル状のスプリング11の両端部がそれぞれ係止されている。そして、前記回転軸部５の後面には前記受け皿８の底板部６に当接してこの受け皿８の後側への回動を阻止してこの受け皿８を略水平状態に保持するストッパー12が設けられている。また、この受け皿８はスプリング11の付勢力に抗して前側が下方に向って回動可能に取り付けられ、この受け皿８は常時はスプリング11の付勢力と底板部６に当接したストッパー12とにて略水平状態に保持されている。
【００１５】
また、前記受け皿８の底板部６の先端部には、包装袋13の開口部14を閉塞するための切り欠き部15が形成されている。
【００１６】
そして、図２に示すように、前記受け皿８とこの受け皿８の底板部６に載置された野菜17とをこの受け皿８の先端側から嵌合した包装袋13にて覆い、この受け皿８の先端側を前記スプリング11の付勢力に抗して下側に向けて回動し、前記包装袋13を受け皿８の先端側から引き抜きながらこの包装袋13に野菜を収納し、この受け皿８の底板部６に形成した切り欠き部15にて包装袋13の開口部14を閉じながら野菜17を収納した包装袋13を前記受け皿８から引き外すようになっている。
【００１７】
なお、前記回転台１を回転させる電動機は支持台16に設けられ、前記回転軸２はこの支持台16に回転自在に軸支されている。
【００１８】
また、前記支持軸３は回転台１の上面に固着される支持板18に突設されている。
【００１９】
次に、この実施の形態の作用を説明する。
【００２０】
電動機の駆動で回転台１が水平回転される。この回転している回転台１に取り付けた野菜受け皿体４が水菜などの野菜17を載置する所定の個所に位置したとき、1人の作業者がスプリング11の付勢力と受け皿８の底板部６の裏面とストッパー12との係合で略水平に保持されている受け皿８の底板部６上に野菜17を向きを揃えて載置する。このとき、回転台１は回転されていても、野菜受け皿体４は回転台１に垂直方向の支持軸３を中心として回転可能となっているので、野菜受け皿体４が作業者の作業位置を移動するタイミングと野菜17を揃えてこの野菜17を野菜受け皿体４の受け皿８に載置するタイミングとがずれていても、野菜受け皿体４の受け皿８の向きを作業者に向けて野菜17を確実に受け皿８に載置できる。そして、回転台１の回転で野菜17を受け皿８に載置した野菜受け皿体４が包装作業を行う作業者の位置に移動される。
【００２１】
回転台１が回転して野菜17を載置した野菜受け皿体４の受け皿８が包装作業を行う作業者の位置に至ったときに、図２に示すように、この受け皿８とこの受け皿８の底板部６に載置された野菜17とをこの受け皿８の先端側から嵌合したプラスチックフィルムなどにて成形した包装袋13にて覆い、この受け皿８の先端側を下側に向けてスプリング11の付勢力に抗して押圧すると、受け皿８は軸10を中心として前側が下側に向って回動し、野菜17は受け皿８の底板部６を滑り、野菜17は包装袋13の底側に移動され、この包装袋17を受け皿８の先端側から引き抜きながらこの包装袋13に野菜17を収納する。
【００２２】
この受け皿８の底板部６に形成した切り欠き部15にて包装袋13の開口部14を前側と後側から押え付けて包装袋13を閉じながら野菜17を収納した包装袋13を受け皿８から引き外し、包装袋13の開口部14を閉塞することができる。この包装袋13を受け皿８から引き外す前に包装袋13の開口部14を前後面から押さえるので、確実にかつ容易に包装袋13の開口部14を閉じることができる。
【００２３】
また、包装する野菜17の種類などによって、野菜17を載置する作業時間が長く掛かる場合には、野菜受け皿体４の使用数を減らし、使用しない野菜受け皿体４の受け皿８が回転台１の周縁から突出して邪魔にならないように、受け皿８が回転台１の中心方向に向くように回動させる。
【００２４】
また、野菜受け皿体４は、回転台１の上面に上方に向けて突設した支持軸３に着脱自在に回転軸部５を嵌合したので、包装する野菜の種類などによって使用しない野菜受け皿体４を回転台１から取り外し、回転台１の周縁から受け皿８が突出して邪魔にならないようにして安全性を高めることができる。
【図面の簡単な説明】
【００２５】
【図１】本発明の一実施の形態を示した野菜包装機の斜視図である。
【図２】同上野菜に包装袋を被せた状態を示す野菜受け皿体部の斜視図である。
【図３】同上野菜受け皿体部の斜視図である。
【図４】同上野菜受け皿体の受け皿を下向きに傾斜させた状態の野菜受け皿体部の斜視図である。
【図５】同上野菜受け皿体の受け皿を取り外した状態の野菜受け皿体部の斜視図である。
【符号の説明】
【００２６】
１    回転台
３    支持軸
４    野菜受け皿体
５    回転軸部
６    底板部
７    側面部
８    受け皿
11    スプリング
13    包装袋
14    開口部
15    切り欠き部
17    野菜
【図１】
2006103789.tif 000003
【図２】
2006103789.tif 000004
【図３】
2006103789.tif 000005
【図４】
2006103789.tif 000006
【図５】
2006103789.tif 000007